(57)【要約】      （修正有）【課題】商品提供マシンを、筺体をマシン本体とする従来タイプのものから脱却し、イベント会場等で複数台のマシンを自由なレイアウトで設置するのに適した形態として提供する。【解決手段】商品提供マシンＧＭの少なくとも1台分の必須部材ＥＭにおける円盤体ＣＰと、商品ケースＧＣを備えた支持基体ＳＢと、駆動歯車を円盤体ＣＰの従動歯車に噛合させたハンドル操作部ＯＨと、商品受取部材ＲＣとを、支持基体ＳＢの落下穴と商品導入口１０ａをガイド部材で接続した状態で、パネル状の面状部材に取付けた形態にして商品提供マシンＧＭを形成する。【選択図】図１
2020005891.tif 000002
【特許請求の範囲】
【請求項１】
（ａ）操作軸の先端部に駆動歯車を備えると共に後端部に回転操作するハンドルを備え中間部に前記ハンドルの回転許容と回転阻止を選択制御する制御部を設けたハンドル操作部、
（ｂ）円盤体の外周に前記駆動歯車に噛合する従動歯車を備えると共に前記円盤体の内側に商品が入る少なくとも1個の商品抽出穴を備える商品抽出用の円盤体、
（ｃ）前記円盤体を回転可能に下から支えると共に回転する前記円盤体の商品抽出穴の1つと対面できる部位に前記商品抽出穴に入っている商品を下方に落下させるための落下穴を備える支持基体、
（ｄ）前記支持基体における前記円盤体の上方に配置される前記商品の複数個を収容する商品ケース、
（ｅ）前記落下穴に接続されて落下して来る1個の前記商品を下方へ案内するフレキシブルなガイド部材、
（ｆ）前記ガイド部材の末端が接続される商品導入口を背面に備えその商品導入口に連通する商品受皿を前面に備える商品受取部材、
前記（ａ）〜（ｆ）を必須部材とする商品提供マシンであって、
商品提供マシンが、その少なくとも1台分の前記必須部材を、前記円盤体と商品ケースを備えた支持基体と前記駆動歯車を前記円盤体の従動歯車に噛合させたハンドル
操作部と前記商品受取部材とを、前記落下穴と前記商品導入口とを前記ガイド部材で接続した状態で、パネル状の面状部材に配置して形成されることを特徴とするパネル型の商品提供マシン。
【請求項２】
前記面状部材は、平坦な板状体、樽容器や缶容器の側面壁、筒状体の側面壁のいずれかであり、前記商品提供マシンの少なくとも1台分の必須部材におけるハンドル操作部のハンドルと前記商品受取部材の商品受皿が、前記面状部材の前面に配置された請求項１のパネル型の商品提供マシン。
【請求項３】
前記面状部材と前記必須部材は、商品提供マシンの設置現場で組み立てた請求項１
又は２のパネル型の商品提供マシン。
【請求項４】
商品提供マシンは、その複数台分の必須部材を備えた面状部材が、平面から見たとき、直線状に連続している面状部材であるか、又はジグザグ状や波型状を含む折れ曲がり状に連続している面状部材であるか、若しくは略円形状または略円弧状あるいは略多角形状に連続している面状部材である請求項１〜３のいずれかのパネル型の商品提供マシン。
【請求項５】
連続している前記面状部材は、1台分の必須部材を備えた面状部材を１単位とし、その複数単位の面状部材が連続している請求項４のパネル型の商品提供マシン。
【請求項６】
前記面状部材は、メッセージ等の文字、図形、記号を含む動画や静止画等を表示する表示部に用いる請求項１〜５のいずれかのパネル型の商品提供マシン。
【請求項７】
前記表示部は、前記面状部材の内面又は外面からプロジェクションマッピングが可能なプロジェクタを含む映写機器による表示手段で前記動画又は静止画を前記面状部材に表示する請求項６のパネル型の商品提供マシン。
【請求項８】
前記表示部は、前記面状部材に配置した有機ＥＬ等の薄型表示画面の表示手段に前記動画又は静止画を表示する請求項６又は７のパネル型の商品提供マシン。
【請求項９】
前記面状部材、又は前記面状部材と支持基体は、前記面状部材を自立させるフレーム部材に支持させる請求項１〜８のいずれかのパネル型の商品提供マシン。
【請求項１０】
前記フレーム部材は、側面から見て略門型を呈し、その前面側において前記面状部材を支持しているか、又は前面側での面状部材の支持と共に上部側において前記支持基体を支持している請求項９のパネル型の商品提供マシン。
【請求項１１】
前記ハンドルの回転許容と回転阻止を作動選択部で制御する制御部は、硬貨を含むメダルやカードによるゲーム媒体の通過によるか、又は指先での押し操作によって、前記作動選択部に回転阻止の状態にある前記操作軸を回転許容する状態に置かせると共に、前記操作軸がハンドルの回転操作で回転されると前記操作軸を回転阻止の状態に戻すように前記作動選択部に動作させる請求項１〜１０のいずれかのパネル型の商品提供マシン。
【請求項１２】
前記ハンドル操作部は、前記支持基体の前面側に結合して一体化された請求項１〜１１のいずれかのパネル型の商品提供マシン。
【発明の詳細な説明】
【技術分野】
【０００１】
本発明は、硬貨を含むメダルやカードなどのゲーム媒体をマシンに設けられている投入口から投入すると、前記投入口に隣接して設けられているハンドルを回転させることができ、このハンドルの回転操作によって種々の形態の小型商品を収容した球状や筒状のカプセル（以下、本明細書では「カプセル」又は「商品」という）が前記ハンドルのやや下方のマシン前面に設けた受け皿に提供されるようになった商品提供マシンに関する。
【背景技術】
【０００２】
メダル投入等によるゲーム条件が満たされたら操作できるハンドルの回転によってカプセルを受け皿に提供するようにした商品提供マシンは、従来より公知であり、当該マシンに関する発明、考案も平成９年ごろから現在に至るまで多数の提案がなされている（例えば特許文献１〜３参照）。
【０００３】
しかし、従来の商品提供マシンは、多数のカプセルが収容された略筒状の商品ケースと該商品ケースが上部に結合され、内部に商品提供マシンの機能部が収装された筺体をマシン本体として形成され、ゲーム媒体の投入部を備えた操作用ハンドル部と該ハンドル部の下方に位置付けた商品受皿とが、マシン本体である前記筺体の前面に配置された形を基本形態とするものであった。
【０００４】
このため、前記商品提供マシンの複数台を店舗などの店先に設置するには、操作時のハンドルと受皿の高さをプレイヤーにとって適切な高さにするため、一例として横長の架台の上に商品提供マシンを並べていた。しかし、架台の上に商品提供マシンを横に並べて置いても設置台数に限度があるため、商品提供マシンをいわば２階建てや３階建ての形態にした積層タイプの商品提供マシンが提案され、実用にも供されるようになった。（特許文献４，５参照）。
【０００５】
しかしながら、上述した従来の商品提供マシンは、マシン本体の筺体を構成単位としているため、例えば、イベント会場などのように大勢の人が商品提供マシンを使うことが想定される場合、多数台の筺体単位の商品提供マシンを準備して配置しなければならない煩わしさがある。
【０００６】
しかし準備した多数台の商品提供マシンは、個々に独立しているため、並べて設置する場合のマシン同士の結合や互いに結合した上での多数台のマシンのレイアウトに制約があって、イベント会場等に時限的に設置する商品提供マシンとしては使い勝手の良いものではなかった。
【先行技術文献】
【特許文献】
【０００７】
【特許文献１】特許第３２６７５１２号公報
【特許文献２】特許第３９６７７２４号公報
【特許文献３】特許第４５３４３１６号公報
【特許文献４】特許第５３５８０１６号公報
【特許文献５】特許第４９０２８０７号公報
【発明の概要】
【発明が解決しようとする課題】
【０００８】
そこで本発明は、商品提供マシンを筺体をマシン本体とする従来タイプのものから脱却し、イベント会場等で自由なレイアウトで設置するのに適した形態としたもので提供することを課題とする。
【課題を解決するための手段】
【０００９】
上記課題を解決することを目的としてなされた本発明商品提供マシンの構成は、
（ａ）操作軸の先端部に駆動歯車を備えると共に後端部に回転操作するハンドルを備え中間部に前記ハンドルの回転許容と回転阻止を選択制御する制御部を設けたハンドル操作部、
（ｂ）円盤体の外周に前記駆動歯車に噛合する従動歯車を備えると共に前記円盤体の内側に商品が入る少なくとも1個の商品抽出穴を備える商品抽出用の円盤体、
（ｃ）前記円盤体を回転可能に下から支えると共に回転する前記円盤体の商品抽出穴の1つと対面できる部位に前記商品抽出穴に入っている商品を下方に落下させるための落下穴を備える支持基体、
（ｄ）前記支持基体における前記円盤体の上方に配置される前記商品の複数個を収容する商品ケース、
（ｅ）前記落下穴に接続されて落下して来る1個の前記商品を下方へ案内するフレキシブルなガイド部材、
（ｆ）前記ガイド部材の末端が接続される商品導入口を背面に備えその商品導入口に連通する商品受皿を前面に備える商品受取部材、
前記（ａ）〜（ｆ）を必須部材とする商品提供マシンであって、
商品提供マシンが、その少なくとも1台分の前記必須部材を、前記円盤体と商品ケースを備えた支持基体と前記駆動歯車を前記円盤体の従動歯車に噛合させたハンド操作部と前記商品受取部材とを、前記落下穴と前記商品導入口とを前記ガイド部材で接続した状態で、パネル状の面状部材に取付けて形成されていること、
を特徴とするものである。
【００１０】
本発明において、前記面状部材は、平坦な板状体、樽容器や缶容器の側面壁、筒状体の側面壁のいずれかを用いることができ、いずれかの面状部材に、商品提供マシンの少なくとも1台分の必須部材におけるハンドル操作部のハンドルと前記商品受取部材の商品受皿を、前記面状部材の前面に配置して本発明商品提供マシンが形成される。
【００１１】
前記商品提供マシンは、その複数台分の必須部材を備えた面状部材が、平面から見たとき、直線状に連続している面状部材であるか、又はジグザグ状や波型状を含む折れ曲がり状に連続している面状部材であるか、若しくは略円形状または略円弧状あるいは略多角形状に連続している面状部材であってよい。
【００１２】
連続している面状部材は、1台分の必須部材を備えた面状部材を１単位とし、その複数単位の面状部材がヒンジを介して接続すると、設置場所の広さ等に合わせて任意枚数の面状部材を接続できる。
【００１３】
前記面状部材、又は前記面状部材と支持基体を、フレーム部材に支持させると安定に商品提供マシンを設置できる。
【００１４】
この場合、前記フレーム部材は、側面から見て略門型を呈し、その上部側において前記支持基体を支持すると共に、前面側において前記面状部材を支持するとより安定にマシンを設置できる。
【００１５】
本発明においては、前記ハンドルの回転許容と回転阻止を作動選択部で制御する制御部は、硬貨を含むメダルやカードによるゲーム媒体の通過によるか、又は指先での押し操作によって、前記作動選択部に回転阻止の状態にある前記操作軸を回転許容する状態に置かせると共に、前記操作軸がハンドルの回転操作で回転されると前記操作軸を回転阻止の状態に戻すように前記作動選択部に動作させるようにできる。
【００１６】
なお、前記ハンドル操作部は、前記支持基体の前面側に予め結合して一体化された状態で面状部材に配置することが出来る。
【発明の効果】
【００１７】
本発明では、商品提供マシンの必須部材を、パネル状の面状部材に配設することにより、商品提供マシンをパネル状の形にしたから、現行品の商品提供マシンには全く見られない斬新な外観イメージで商品提供マシンを設置することができる。
商品提供マシンの必須部材とパネル状野の面状部材を組立前の状態でイベント会場等の設置現場に搬入し、そこで面状部材に必須部材を組付けるようにすれば、運搬や管理におけるスペース効率を稼ぐことが出来る。
【００１８】
特に、本発明では、イベント会場などに多数台の商品提供マシンを並べて配置する必要がある場合、並べる面上部材同士をフレキシブルに結合して、平面から見て自在な形状（例えば、平面視直線状や波形、或いは、円形状や多面形状などのマシンレイアウトを容易かつ迅速に実現することができる。
【図面の簡単な説明】
【００１９】
【図１】本発明商品提供マシンの一例の構造の概略を示す分解斜視図。
【図２】本発明商品提供マシンの一例の要部を示す側断面図。
【図３】図１、図２の商品提供マシンにおける必須部材を例示した斜視図。
【図４】図１〜図３の商品提供マシンのハンドル操作部における制御部の構造例を示した正面図。
【図５】本発明商品提供マシンの配置形態例を示す図で、（あ）は直線形の配置例、（い）はジグザグ形の配置例、（う）は四角形の配置例、（え）は円形の配置例、（お）は略波型の配置例のそれぞれ平面図。
【発明を実施するための形態】
【００２０】
次に図を参照して本発明によるパネル型の商品提供マシンの実施の形態例について説明する。
【００２１】
図１〜図３において、本発明の商品提供マシンは、（ａ）ハンドル操作部ＯＨ、（ｂ）商品抽出用の円盤体ＣＰ、（ｃ）前記円盤体ＣＰを回転自在に支えると共に商品落下穴を備えた支持基体ＳＢ、（ｄ）前記支持基体Ｓｂに載架された商品ケースＧＣ、（ｅ）前記商品落下穴から落下する商品を受皿に案内するガイド部材ＦＧ、（ｆ）前記ガイド部材ＧＦの末端に接続された商品受皿を有する商品受取部材ＲＣによる前記各部材（ａ）〜（ｆ）を必須部材として構成されるので、以下に必須部材（ａ）〜（ｆ）のそれぞれについて順に説明する。
【００２２】
（ａ）ハンドル操作部ＯＨについて
ハンドル操作部ＯＨは、操作軸１と、該操作軸１の先端部に固着して設けられた駆動歯車１ａと、前記操作軸１の後端部に設けられたハンドル１ｂと、前記操作軸１の中間部に設けられた当該操作軸１の回転許容と回転阻止を選択的に制御する制御部２を備えて形成されている。ここで、操作軸１の回転許容と回転阻止は、ハンドル１ｂの回転許容及び回転阻止と同義である。
【００２３】
前記制御部２は、前面略中央に前記ハンドル１ｂの収装部２ｂを凹設すると共に、その中心に操作軸１の軸受け２ｃを形成した操作ボックス２ａの背面側に、図４に例示する制御機構３を配置して形成されている。前記操作ボックス２ａの背面には前記制御機構３を裏面からカバーする背面プレート２ｄが配置されている。前記背面プレート２ｄの中心には、前記操作軸１が通る軸穴２ｅが設けられている。
【００２４】
図４に例示した操作軸１の回転許容と回転阻止を制御する制御機構３は、一例として次の構造のものである。なお、本発明の制御機構３は、図４に示した構造に限られるものではない。図４の制御機構３において、３ａは、操作軸１に軸受部２ｃを介して当該操作軸１と一体に回転するように設けた制御円板である。
【００２５】
制御円板３ａは、その外周上の表面側に、当該制御円板３ａの正転（図４では反時計回り方向）を阻止する正面視略Ｖ状の第１規制溝３１ａが形成されていると共に、この第１規制溝３１ａから、図４では反時計回り方向に略９０度離れた部分の制御円板３ａの裏面に、この制御円板３ａの逆転（図４の時計回り方向）を阻止する正面視略Ｖ状の第２規制溝３２ａが形成されている。
【００２６】
第１規制溝３１ａに対しては、制御円板３ａの斜上方にバネ４ｂで制御円板３ａ側に向け付勢させて軸止４ａした作動板４の先端部に設けた規制ピン４ｃが、常態においてはこの第１規制溝３１ａに係合していることにより、この制御円板３ａの正転を阻止している。制御円板３ａの正転が許容されるのは、前記規制ピン４ｃが第１規制溝３１ａから離脱（図４の４ｃ’参照）したときである。
【００２７】
前記規制ピン４ｃの第１規制溝３１ａからの離脱は、作動板４が、前記バネ４ｂによる付勢方向（制御円板３ａに向けた付勢）とは反対方向に変位（後退）させたられることにより実現される。
【００２８】
このため、図４に示す作動板４は、その軸止４ａされた部位の近傍に軸止４ａから離れる方向に膨出した形の作動凸部４ｄを形成し、この作動凸部４ｄの一部が、制御部２における操作軸１の略真上に形成したメダルやカード等のゲーム媒体Ｍの投入口２ｆの内側を臨むように配置することによって、作動板４のバネ力に抗した後退動作を実現している（図４の４’、４ｄ’参照）。投入されたゲーム媒体Ｍは，図示しないが、通路を通って媒体ホッパに溜まるものとする。
【００２９】
作動板４のバネ４ｂの力に抗した後退動作は、前記メダル等のゲーム媒体Ｍの投入に限られず、前記投入口２ｆに常設タイプで配置するメダル状等にデザインされた操作ボタンＢの押下げ操作（図４のＢ’参照）によっても実現できる。なお、操作ボタンＢは図示しないがバネ力で元の位置に戻るように形成されているものとする。
【００３０】
前記制御円板３ａには、逆転防止機構が設けられている。逆転防止機構は、制御円板３ａの裏面に設けた第２規制溝３２ａに、逆転防止レバー５の爪５ａがバネ５ｂにより付勢されて係合していることにより形成されている。５ｃは、逆転防止レバー５の支持ピンである。
【００３１】
前記逆転防止機構において、略Ｖ状の第２規制溝３２ａは、逆転方向に関して後側の溝壁面が逆転方向に略直交する角度の面に形成されている一方、逆転方向に関して前側の溝壁面が、逆転方向と鋭角をなす面に形成されている。これにより、逆転防止レバー５の爪５ａの形状も、上記第２規制溝３２ａの形状にほぼ倣った形状に形成されている。
【００３２】
図３のハンドル操作部ＯＨは、制御部２の制御機構３が図４の実線で示した状態にあるときは、正転（図４の反時計回り方向）も逆転もできない。つまり、スタンバイ状態である。そこでゲーム媒体Ｍの投入（または、操作ボタンＢの押し下げ）をすると、作動板４がそのバネ４ｂの撥力に抗して後退させられて制御円板３ａ（操作軸１）が正転可能になる（逆転は前記逆転防止機構の作用で不能）。そこでハンドル１ｂを摘み、正転（図１、図３では時計回り方向）させるとハンドル１ｂと一体の操作軸１も正転する。
【００３３】
この正転とほぼ同時にゲーム媒体Ｍが下流に落下（または押下げた操作ボタンＢがバネで後帰）して作動板４の後退位置を保持する部材（ゲーム媒体Ｍ，操作ボタンＢ）が無くなっても，規制ピン４ｃは制御円板３ａの外周に当接したままで操作軸１の正転の継続が許容される。このまま制御円板３ａが１回転（ハンドル１ｂも操作軸１も同じく１回転）すると、制御円板３ａの第１規制溝３１ａと第２規制溝３２ａが元の位置（図４の実線の位置）に戻ってスタンバイ状態にリセットされる。
【００３４】
（ｂ）商品抽出用の円盤体ＣＰについて、
円盤体ＣＰは、基礎円盤６の外周下面に、前記ハンドル操作部ＯＨの操作軸１が備える駆動歯車１ａに噛合する従動歯車６ａが設けられている。因みに、駆動歯車１ａと従動歯車６ａの回転比は、一例として駆動歯車１ａの１回転で従動歯車６ａは１／３回転に設定されている。また、基礎円盤６の内側には、カプセル状の商品（球状又は筒状のカプセル内にフィギア等を収容したもの、以下、単に「カプセルＣ」という）が収まる大きさの穴がカプセル抽出穴６ｂとして略等ピッチ（略１２０度単位）で３個設けられている。カプセル抽出穴６ｂは基礎円盤６に少なくとも１個あれば足りるが、２個或いは４個であってもよい。この実施例では、外周上の従動歯車６ａと３個のカプセル抽出穴６ｂを基礎円盤６に設けて円盤体ＣＰの一例を形成している。基礎円盤６の略中心には、回転中心になる軸受部６ｃが形成されている。６ｄは、ハンドル１ｂの回転による円盤体ＣＰの回転時にカプセルＣをかき回すため、前記軸受部６ｃに取付けた幅狭の略翼状の撹拌部材である。前記撹拌部材６ｄは設けない場合もある。
【００３５】
（ｃ）円盤体ＣＰを回転自在に支持し、かつカプセル落下穴を備えた支持基体ＳＢについて、
支持基体ＳＢは，大略浅底の箱を伏せたような外観を呈する略箱状の基枠体７において、略央部に前記円盤体ＣＰを回転自在に納めるための凹部７ａを設けると共に、該凹部７ａの略中心に前記円盤体ＣＰが有する軸受部６ｃを支持する支持軸部７ｂを設け、さらに、円盤体ＣＰに設けたカプセル抽出穴６ｂに対面できる部位に、カプセルを落下させる落下穴７ｃを１個設けて形成されている。
【００３６】
落下穴７ｃは、基枠体７の中心から見て背面側（後方）に寄った部位であって回転してくるカプセル抽出穴６ｂに対応する箇所に下方に向けて筒状に形成されている。基枠体７の正面側には、前記ハンドル操作部ＯＨを装置するための略矩形状の切欠き状の開口部７ｄが形成されている。７１ｃは落下穴７ｃの下方に垂下して延設した落下筒部、７ｄは基枠体７の上面外周に形成した後述する商品ケースＧＣの取付溝である。
図３の７ｅは、基枠体７の凹部７ａにおいて軸受部６ｃにより回転自在に支持された円盤体ＣＰの上において前記落下穴７ｃに対応する部位に架設される２本のバネ状の掻き均し部材であり、１個のカプセルＣを前記落下穴７ｃに導くための部材である。
【００３７】
ハンドル操作部ＯＨの制御部２は、背面プレート２ｄで制御部２を挟んで保持する操作ボックス２ａのパネルのビス穴２ｇにおいて、前記基枠体７の開口部７ｄにビス止めすることにより装着される。この装着においては、操作軸１の先端部の駆動歯車１ａを、基枠体７に回転自在に支持されている円盤体ＣＰの外周下面に形成された従動歯車６ａに噛合させて取付けられる。
【００３８】
（ｄ）商品ケースＧＣについて、
商品ケースＧＣは、底部が全面解放された、ここでは透明板で形成した箱状体８により形成される。箱状体８は、その下端８ａの外形が、前記基枠体７の上面外周に形成した前記箱状体８の取付溝７ｆに嵌まる形状を備えている。また、箱状体８の上面には、図示しないが、開閉自在の蓋を備えたカプセル投入口が形成されている。この箱状体８は通常、その下端部８ａが前記基枠体７の取付溝７ｆに嵌まった状態で基枠体７にセットされており、カプセルＣが上部の蓋付の投入口から投入、補充するようにして商品ケースＧＣを形成している。
【００３９】
（ｅ）カプセルＣの落下を案内するフレキシブルなガイド部材ＦＧについて、
ガイド部材ＦＧは、一例としてフレキシブルな可撓管９により形成されており、一端（上端）側９ａが、上記基枠体７の落下穴７ｃと一体の落下筒体７１ｃに接続され、他端（下端）側９ｂが、後に説明する商品受取部材ＲＣの商品（カプセルＣ）の導入口１０ａに接続されるものである。
【００４０】
（ｆ）商品受け取り部材ＲＣについて、
商品受取部材ＲＣは、前記ガイド部材ＦＧの可撓管９の下端側９ｂに接続される略水平な筒状のカプセル導入口１０ａと該カプセル導入口１０ａに前方側において連通したカプセル受皿１０ｂが、前記カプセル導入口１０ａ、カプセル受皿１０ｂの接合境界部に、後述するマシンパネルＭＰへの取付用の前後で２枚の取付用フランジ１０ｃ、１０ｄを備えて形成されている。
【００４１】
本発明においては、上述した（ａ）ハンドル操作部ＯＨから（ｆ）商品受取部材ＲＣまでの構成を本発明に係る商品提供マシンＧＭの必須部材ＥＭとし、この必須部材ＥＭが、一例として図２の側面図に示す態様で面状部材の一例であるマシンパネルＭＰに取付けられるので、この点について次に説明する。
【００４２】
図２に示したマシンパネルＭＰは、地表面に対して５度前後の後方傾斜が付与されている。本発明においてマシンパネルＭＰの上記後傾角度は一例であって傾斜角はこの数値に限られるものではない。垂直姿勢のマシンパネルＭＰもある。
【００４３】
上記マシンパネルＭＰは、自立のための構造を備えている。図２の例では、側面から見て略門型のフレームＦにより自立を達成している。即ち、このフレームＦは、上端部が前記基枠体７に結合される上部横棧部材１１ａと下端部の水平な接地部材１１ｂと、上部横棧部材１１ａ、接地部材１１ｂをそれらの前後において結合する前後の縦部材１１ｃにより、側面から見て略々門型部材Ｍｍを形成し、この門型部材Ｍｍの２つを前記基枠体７の左右側に配し、左右の門型部材Ｍｍを、図の例では左右の接地部材１１ｂ、１１ｂにおいて貫材１１ｄにより結合することによってフレームＦを形成している。なお、１１ｅは、接地部材１１ｂの前端側に設けたマシンパネルＭＰの係止用凸部である。
【００４４】
本発明は、図２に例示した平坦な板状のマシンパネルＭＰに商品提供マシンＧＭにおける必須部材ＥＭの１台分を、或いは２台部以上を横並びに配置して本発明のパネル型商品提供マシンＧＭの一例を構成することができる。
本発明は、複数台分の商品提供マシンＧＭの必須部材ＥＭを１枚のマシンパネルＭＰに配置して形成されるパネル型であるから、例えばイベント会場のように多数台の商品提供マシンＧＭを設置する場合に比べ、マシン機材の準備、運搬、保管、組立て設置或いは撤去におけるスペース的な面や組立、分解手間の面等において大幅に有利になる。
【００４５】
上記のようなパネル型にすることによるメリットは、図５の（あ）〜（え）に平面態様で例示する形態の面状部材（マシンパネルＭＰ）に商品提供マシンＧＭの必須部材ＥＭを配置することにより、公知の商品提供マシンＧＭではなしえなかった複数台のマシン配置が可能になるので、多人数が同時に商品提供マシンＧＭを使用する場合であっても、マシンパネルＭＰ上に良好な使用環境で必須部材ＥＭを配置することができる。因みに、従来の筺体型で独立した商品提供マシンＧＭの複数台を並べると、プレーヤー同士の肩が触れ合うなど使い勝手の面で問題が生じていた。
【００４６】
図５（あ）は、ヒンジＨで折曲自在に連結した４枚のマシンパネルＭＰを平面視直線状に配し、4枚の各マシンパネルＭＰに、夫々に１台分のマシンＧＭの必須部材ＥＭを配置した本発明パネル型商品提供マシンの例、図５（い）は、図４（あ）の4枚のマシンパネルＭＰを各ヒンジＨにおいて平面から見て浅いジグザグ状に配置した例、図５（う）は図５（あ）の４枚のマシンパネルＭＰをヒンジＨで四角形となるように曲げて配置した例、図５（え）は、平面から見て円形の筒体の壁面を４分割した4枚のマシンパネルＭＰをヒンジＨで繋いで平面から見て円形に配置した例、図５（お）は図５（え）の円形の4枚のマシンパネルＭＰを１本の線状に展開して配置した例である。図5における１枚のマシンパネルＭＰの左右幅や平面形状（直線状や湾曲状）は図の例は一例であって、本発明は図の例に限られるものではない。また複数のマシンパネルＭＰの連結はヒンジＨを介在しない連結であってもよい。
【００４７】
また、図５（あ）〜（う）において、使用するマシンパネルＭＰは４枚に限られるものではなく、２枚や３枚、或いは５枚以上など任意の枚数を用いてヒンジＨを用いて又はヒンジＨを介しないで繋げば、図５の実施例よりも長い線状のマシンパネルＭＰのレイアウトや三角形や五角形等の任意の多角形のマシンパネルＭＰのレイアウトとすることができる。この点は、図５（え）（お）における円形のマシンパネルＭＰを２分割や３分割、或いは５分割以上に分けて各分割されたマシンパネルＭＰをヒンジＨを介して又は介さないで繋いでも、上記と同等の効果が得られる。
本発明では、マシンパネルＭＰに用いる面状部材を、大きな左右幅の1枚パネル、或は大きな内径の1個の筒状パネルとし、これらの1枚パネルや1個のパネルに複数台分の必須部材ＥＭを設けて本発明の商品提供マシンの形態とすることが出来る。
【００４８】
以上に説明した本発明のパネル型商品提供マシンにおいては、前記必須部材を配置したマシンパネルＭＰ１〜ＭＰ４の表面、すなわち面状部材の表面には、何も配置されない余剰領域があるから、その余剰領域や余剰領域を含む面状部材の略全域を、メッセージ等の文字や記号を含む動画や静止画等の表示部として利用することが出来る。このような表示部にすると、従来の筐体型マシンでは不可能であった動画や静止画等による様々な表示や表現を、前記表示部に実現することができる。
前記表示部は、プロジェクションマッピングが可能なプロジェクタや映写機等の映写機器による表示手段によって面状部材の外面又は内面から投影される動画や静止画の表示形態のほか、前記マシンパネルＰ１〜Ｐ４に配置した有機ＥＬや液晶等の薄型表示画面（フィルム状の柔軟表示画面を含む）による表示手段に表示させる動画や静止画による表示形態を採ることもできる。
【００４９】
本発明は以上の通りであって、複数の商品提供マシンを面状に展開してスペース効率よく設置でき、しかも多人数のプレーヤーが互いに干渉することなく同時に複数台の商品提供マシンの操作を楽しむことができる。
【符号の説明】
【００５０】
ＧＭ  商品提供マシン
ＥＭ  商品提供マシンの必須部材
Ｃ  カプセル又は商品
ＭＰ  マシンパネル
Ｈ  ヒンジ
ＯＨ  ハンドル操作部
１  操作軸
１ａ  駆動歯車
１ｂ  ハンドル
２  制御部
３  制御機構
４  作動板
５  逆転防止レバー
ＣＰ  円盤体
６  基礎円盤
６ａ  従動歯車
６ｂ  カプセル抽出穴
６ｃ  軸受部
ＳＢ  支持基体
７  基枠体
７ａ  凹部
７ｂ  支持軸部
７ｃ  落下穴
７１ｃ  落下筒体
ＧＣ  商品ケース
８  箱状体
８ａ  箱状体の下端部
ＦＧ  ガイド部材
９  可撓管
９ａ  上端側
９ｂ  下端側
ＲＣ  商品受取部材
１０ａ  カプセル導入口
１０ｂ  カプセル受皿
１０ｃ、１０ｄ  取付用フランジ
【図１】
2020005891.tif 000003
【図２】
2020005891.tif 000004
【図３】
2020005891.tif 000005
【図４】
2020005891.tif 000006
【図５】
2020005891.tif 000007